(57)【要約】      （修正有）【課題】シャッターの安全非常門構造を提供する。【解決手段】シャッターのシャッターシートに、非常口が設けられ、当該非常口が、シャッターシートの最下方に位置しなく予めに設定した高さに位置するように設置され、また、規格と仕様がシャッターシートと同一である非常シートがあり、当該非常シートの周囲が、シャッターシートの非常口よりやや大きくなり、非常シートの周辺により、非常口を覆い、また、戸外から室内へ向かって覆い合うことにより、非常口より大きい周辺により、完全に非常口を覆い、また、非常シートの内側において、非常シートと非常口とが覆い合う位置に、係合部が設けられ、非常シートが、非常口の外側に覆い合われる時、内側において、複数の係合部によりシャッターシートの非常口の周縁に係合される。【選択図】図３
0003127121.tif 000002
【実用新案登録請求の範囲】
【請求項１】
軌道によりシャッターシートが移動でき、使用しない時、軌道により、下方に下ろすことができ、また、上方に巻き上げられて収納することができ、扉や窓に設置されたシャッターに、適用されるシャッターの安全非常門構造であって、
シャッターのシャッターシートに、非常口が設けられ、当該非常口に、非常シートが利用され、当該非常シートの周囲が、シャッターシートの非常口よりやや大きくなり、当該非常シートが、非常口よりやや大きい周辺により、戸外から室内に向かって、完全に非常口を覆い、また、非常シートの内側において、非常シートと非常口とが覆い合う位置に、係合部が設けられる、
ことを特徴とするシャッターの安全非常門構造。
【請求項２】
シャッターシートに、シャッターシートの最下方に位置しなく予めに設定した高さに位置するように、非常口が設けられることを特徴とする請求項１に記載のシャッターの安全非常門構造。
【請求項３】
非常シートの規格と仕様が、シャッターシートと同一であることを特徴とする請求項１に記載のシャッターの安全非常門構造。
【請求項４】
係合部に、可動式部品と固定式部品とが含有され、当該可動式部品と固定式部品が、それぞれ、非常シートの両側に設けられることを特徴とする請求項１に記載のシャッターの安全非常門構造。
【請求項５】
係合部が、可動式部品であり、当該可動式部品が、それぞれ、非常シートの両側に設けられることを特徴とする請求項１に記載のシャッターの安全非常門構造。
【請求項６】
各可動式部品に、それぞれ、引張り紐が結合され、各引張り紐が、可撓性により、同一の位置にまで延伸して固定され、これにより、全ての可動式部品を同時解除することができることを特徴とする請求項４か５に記載のシャッターの安全非常門構造。
【請求項７】
非常シートの周縁とシャッターシートの非常口の外周縁に、結び紐が設けられることを特徴とする請求項１に記載のシャッターの安全非常門構造。
【請求項８】
非常シートの一側とシャッターシートとの間に、枢軸が設置されることを特徴とする請求項１に記載のシャッターの安全非常門構造。
【請求項９】
可動式部品に、可動棒があり、当該可動棒上に、係合孔が設置され、また、バネの一端が繋がれ、そして、当該可動棒の下方に、弾性係合部品が設けられることを特徴とする請求項４か５に記載のシャッターの安全非常門構造。
【考案の詳細な説明】
【技術分野】
【０００１】
本考案は、シャッターの安全非常門構造に関し、各種類のシャッターに適用され、手動であっても電動であっても、非常時、脱出できる安全非常門に関する。
【背景技術】
【０００２】
既存のシャッターは、扉や窓の両側に軌道が設置され、その上方に巻き上げられるシャッターシートが設けられ、当該シャッターシートが、軌道に沿って移動できるものであり、シャッターを開閉することにより、扉や窓の全体や一部を閉鎖でき、当該シャッターの開閉は、手動や電動により行われ、また、安全のために、電動シャッターの一側に、手動シャッターが設けられ、或いは、電動シャッターに安全部品を設置し、非常時、当該安全部品により、電動シャッターに自動的にバネにより所定の空間が開けられ、このような手動シャッターや安全部品の設置は、主として、火災等の災難が発生することにより、電源が切れた時、住民が、スムーズに脱出できるためである。
【０００３】
しかしながら、災難が地震である時、地震の震動力により、住宅の構造が破壊されて、シャッターが移動するための軌道も破壊され、この時、如何なる構造である動力のシャッターでも、開くことができなくなる。
【考案の開示】
【考案が解決しようとする課題】
【０００４】
本考案の目的は、シャッターシートを落とした状態で、非常経路に、非常口を形成し、また、非常口よりやや大きい非常シートを、外部から覆い合うことにより、非常口の周辺を完全に覆い、そして、非常シートの内側に、係合部が設けられ、手動で開閉できる係合部を解除すると、非常シートがシャッターシートから脱落して、非常口が現し、このような方式により、非常口が、停電時やシャッターの枠が変形して上方へ巻き上げられない時でも、開けられ、また、外部から開けることができないシャッターの安全非常門構造を提供する。
【課題を解決するための手段】
【０００５】
請求項１の考案は、軌道によりシャッターシートが移動でき、使用しない時、軌道により、下方に下ろすことができ、また、上方に巻き上げられて収納することができ、扉や窓に設置されたシャッターに、適用されるシャッターの安全非常門構造であって、シャッターのシャッターシートに、非常口が設けられ、当該非常口に、非常シートが利用され、当該非常シートの周囲が、シャッターシートの非常口よりやや大きくなり、当該非常シートが、非常口よりやや大きい周辺により、戸外から室内に向かって、完全に非常口を覆い、また、非常シートの内側において、非常シートと非常口とが覆い合う位置に、係合部が設けられる、ことを特徴とするシャッターの安全非常門構造である。
【０００６】
請求項２の考案は、シャッターシートに、シャッターシートの最下方に位置しなく予めに設定した高さに位置するように、非常口が設けられることを特徴とする請求項１に記載のシャッターの安全非常門構造である。
【０００７】
請求項３の考案は、非常シートの規格と仕様が、シャッターシートと同一であることを特徴とする請求項１に記載のシャッターの安全非常門構造である。
【０００８】
請求項４の考案は、係合部に、可動式部品と固定式部品とが含有され、当該可動式部品と固定式部品が、それぞれ、非常シートの両側に設けられることを特徴とする請求項１に記載のシャッターの安全非常門構造である。
【０００９】
請求項５の考案は、係合部が、可動式部品であり、当該可動式部品が、それぞれ、非常シートの両側に設けられることを特徴とする請求項１に記載のシャッターの安全非常門構造である。
【００１０】
請求項６の考案は、各可動式部品に、それぞれ、引張り紐が結合され、各引張り紐が、可撓性により、同一の位置にまで延伸して固定され、これにより、全ての可動式部品を同時解除することができることを特徴とする請求項４か５に記載のシャッターの安全非常門構造である。
【００１１】
請求項７の考案は、非常シートの周縁とシャッターシートの非常口の外周縁に、結び紐が設けられることを特徴とする請求項１に記載のシャッターの安全非常門構造である。
【００１２】
請求項８の考案は、非常シートの一側とシャッターシートとの間に、枢軸が設置されることを特徴とする請求項１に記載のシャッターの安全非常門構造である。
【００１３】
請求項９の考案は、可動式部品に、可動棒があり、当該可動棒上に、係合孔が設置され、また、バネの一端が繋がれ、そして、可動棒の下方に、弾性係合部品が設けられることを特徴とする請求項４か５に記載のシャッターの安全非常門構造である。
【考案を実施するための最良の形態】
【００１４】
図１乃至３を参照しながら、扉や窓に設置されたシャッターであり、軌道によりシャッターシートが移動でき、全体を下方に降ろすことができ、また、上方に巻き上げて収納することができ、シャッターシート１０に、シャッターシート１０の最下方に位置しなく予めに設定した高さに位置するように、非常口１１が設けられ、当該非常口１１に、規格や仕様がシャッターシート１０と同一である非常シート２０が利用され、当該非常シート２０の周囲が、シャッターシート１０の非常口１１よりやや大きくなり、非常シート２０が、周辺により非常口１１を覆うように、戸外から室内に向かって設置されることにより、非常口１１より大きい周辺により、完全に非常口１１を覆い、また、非常シート２０と非常口１１の覆い合う位置において、非常シート２０の内側に係合部３０が設けられ、非常シート２０が非常口１１の外に覆い合う時、内側において、複数の係合部３０によりシャッターシート１０の非常口１１の周縁に係合される。
【００１５】
図４において、係合部３０は、可動式部品３１と固定式部品３２とが含有され、当該可動式部品３１と固定式部品３２とが、それぞれ、非常シート２０の両側に設けられ、非常シート２０の結合は、まず、固定式部品３２を非常口１１に係合した後、非常シート２０全体を完全に非常口１１に覆い合うようにしてから、可動式部品３１により、非常口１１に係合され、これにより、非常シート２０とシャッターシート１０とが安定的に結合され、戸外から開けられず、また、当該可動式部品３１に引張り紐３３が結合され、各引張り紐３３は、可撓性により、同一の位置にまで延伸して固定されることができる。
【００１６】
図５のように、開く時、例えば、それぞれ、可動式部品３１を解除するか、直接に引張り紐３３を引張ることにより全ての可動式部品３１を同時解除することにより、非常シート２０の当該辺が、非常口１１から分離され、この時、直接に、当該辺を外へ押すことにより、非常シート２０が外側へ押されて、固定式部品３２が、非常口１１から脱離し、これにより、非常口１１を通して室内から脱出できる。
【００１７】
また、図６を参照しながら、非常シート２０の周縁とシャッターシート１０の非常口１１の外周縁に、結び紐３４が設置され、非常シート２０とシャッターシート１０とが分離された後、当該結び紐３４により、非常シート２０が地面に落ちることが無く、住民が当該非常口１１から脱出する時、住民が、当該完全に分離された非常シート２０を踏むことにより滑って倒れることを防止できる。
【００１８】
図７と８を参照しながら、非常シート２０の係合部３０として、両側において、ともに可動式部品３１が設置されてもよく、両側の可動式部品３１により、非常シート２０が、直接に戸外へ分離されることができ、また、このような分離方式である非常シート２０において、その周辺の何れかの一側に枢軸３５が設置されてもよく、当該非常シート２０が開かれると、枢軸３５で枢支され、非常口１１に位置する非常シート２０が開放され、図９を参照しながら、当該非常シート２０の枢軸３５は、下方や上方、左側或いは右側に設置されることができる。
【００１９】
図１０、１１を参照しながら、可動式部品３１に、可動棒３１１があり、当該可動棒３１１に、係合孔３１２が設置され、また、バネの一端３１４が、繋がれ、そして、当該可動棒３１１の下方に、弾性係合部品３１３が設けられる。
【００２０】
上記の具体的な実施例の構造は、下記の利点が得られ、(１)シャッターシート１０を下ろした状態で、非常経路に、非常口１１を形成し、また、非常口１１よりやや大きい非常シート２０を、外部から覆い合うことにより、非常口１１の周辺を完全に覆い、そして、非常シート２０の内側に、係合部３０が設けられ、手動で開閉できる係合部３０を解除すると、非常シート２０がシャッターシート１０から脱落して、非常口１１が現し、このような方式により、非常口１１が、停電時やシャッターの枠が変形して上方へ巻き上げられない時でも、開けられ、また、外部から開けることができず、使用の安全性が向上され、(２)非常シート２０と係合部３０の設置は、シャッターシート１０の作動に影響せず、図１２のように、非常シート２０が、シャッターシート１０と一緒に上方に巻き上げられて収納され、美観且つ便利及び空間を取らない利点が得られ、(３)各可動式部品３１に引張り紐３３が結合され、各引張り紐３３が、可撓性により、全ての引張り紐３３が、同一位置にまで延伸して固定され、これにより、全ての可動式部品３１を同時解除でき、使用上、より快速的であり、また、非常時、もっと快速に脱出できる。
【図面の簡単な説明】
【００２１】
【図１】本考案を室内から戸外へ観察する時の立体組立て図
【図２】本考案を戸外から室内へ観察する時の立体組立て図
【図３】本考案の立体分解図
【図４】本考案の組立て断面図
【図５】本考案の立体分解図
【図６】本考案の脱落状態の一例の概念図
【図７】本考案の他の実施例の立体組立て図
【図８】本考案の他の実施例の組立て断面図
【図９】本考案の他の脱落状態の概念図
【図１０】本考案の更に他の実施例の局部拡大図
【図１１】本考案の更に他の実施例の組立て断面図
【図１２】本考案の収納状態の側面図
【符号の説明】
【００２２】
１０               シャッターシート
１１               非常口
２０               非常シート
３０               係合部
３１１            可動棒
３１               可動式部品
３１２            係合孔
３１３            弾性係合部品
３１４            バネ
３２               固定式部品
３３               引張り紐
３４               結び紐
３５               枢軸
【図１】
0003127121.tif 000003
【図２】
0003127121.tif 000004
【図３】
0003127121.tif 000005
【図４】
0003127121.tif 000006
【図５】
0003127121.tif 000007
【図６】
0003127121.tif 000008
【図７】
0003127121.tif 000009
【図８】
0003127121.tif 000010
【図９】
0003127121.tif 000011
【図１０】
0003127121.tif 000012
【図１１】
0003127121.tif 000013
【図１２】
0003127121.tif 000014
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
軌道によりシャッターシートが移動でき、使用しない時、軌道により、下方に下ろすことができ、また、上方に巻き上げられて収納することができ、扉や窓に設置されたシャッターに、適用されるシャッターの安全非常門構造であって、
シャッターのシャッターシートに、非常口が設けられ、当該非常口に、非常シートが利用され、当該非常シートの周囲が、シャッターシートの非常口よりやや大きくなり、当該非常シートが、非常口よりやや大きい周辺により、戸外から室内に向かって、完全に非常口を覆い、また、非常シートの内側において、非常シートと非常口とが覆い合う位置に、係合部が設けられる、
ことを特徴とするシャッターの安全非常門構造。
【請求項２】
シャッターシートに、シャッターシートの最下方に位置しなく予めに設定した高さに位置するように、非常口が設けられることを特徴とする請求項１に記載のシャッターの安全非常門構造。
【請求項３】
係合部に、可動式部品と固定式部品とが含有され、当該可動式部品と固定式部品が、それぞれ、非常シートの両側に設けられることを特徴とする請求項１に記載のシャッターの安全非常門構造。
【請求項４】
係合部が、可動式部品であり、当該可動式部品が、それぞれ、非常シートの両側に設けられることを特徴とする請求項１に記載のシャッターの安全非常門構造。
【請求項５】
各可動式部品に、それぞれ、引張り紐が結合され、各引張り紐が、可撓性により、同一の位置にまで延伸して固定され、これにより、全ての可動式部品を同時解除することができることを特徴とする請求項３または４に記載のシャッターの安全非常門構造。
【請求項６】
非常シートの周縁とシャッターシートの非常口の外周縁に、結び紐が設けられることを特徴とする請求項１に記載のシャッターの安全非常門構造。
【請求項７】
非常シートの一側とシャッターシートとの間に、枢軸が設置されることを特徴とする請求項１に記載のシャッターの安全非常門構造。
【請求項８】
可動式部品に、可動棒があり、当該可動棒上に、係合孔が設置され、また、バネの一端が繋がれ、そして、当該可動棒の下方に、弾性係合部品が設けられることを特徴とする請求項３または４に記載のシャッターの安全非常門構造。